(57)【特許請求の範囲】
【請求項１】
ハウジングと、電源手段と、記憶手段と、プロセッサ手段と、音声トランスデューサ手段及びコンバータ手段と、ディスプレイ手段とを含むモバイル身体装着型のコンピュータ並びにシステムであって、前記プロセッサ手段は、認識手段を含み、前記ハウジングは、ユーザーの身体に取り付けるための手段を有し、前記音声トランスデューサ手段及びコンバータ手段は、ユーザーからの音声命令を受信すべく、前記プロセッサ手段に対して連絡し、前記音声トランスデューサ及びコンバータは、音声命令を電気信号に変換して、当該システムの中における電力を低下させ、前記コンピュータをパワー・ダウンさせる手段を有し、前記電気信号を当該プロセッサ及び前記コンピュータのその他のコンポーネントに送信して、前記音声パワー・ダウン命令に従わせる手段をも有し、前記ディスプレイ手段は、ヘッド・マウンテッド・ディスプレイ、フラットパネル・ディスプレイ、手首装着ディスプレイ、首掛けディスプレイ、ユーザーの身体に取り付けられる吊し紐によって支持されるディスプレイ、及びそれらの組み合わせによって構成されるグループの中から選択されるものである、モバイル身体装着型のコンピュータ。
【請求項２】
前記プロセッサ手段は、情報及びユーザーの命令を記憶されたプログラムに従って受信し、検索し、処理すべく、前記記憶手段に対して連絡するものである、請求項１に記載のコンピュータ。
【請求項３】
前記ハウジングは、ユーザーによって手離し様式で支持されて携帯されるための取付け手段を有する、請求項１に記載のコンピュータ。
【請求項４】
前記記憶手段は、電子的な技術マニュアル及び多数のワードからなる事前プログラムされた用語モデルを含み、前記プロセッサ手段に対して供給される電力を低下させるための事前プログラムされた命令をも含み、先行して入力された情報を記憶するための手段を有する、請求項１に記載のコンピュータ。
【請求項５】
前記コンピュータ・ディスプレイ手段は、前記プロセッサ手段からの出力情報を受信して、ユーザーの命令によって実行される任意の電力削減量を表示すべく、前記プロセッサ手段に対して連絡するものである、請求項１に記載のコンピュータ。
【請求項６】
前記認識手段は、前記プロセッサ手段に対する電力を段階的に低下させるための事前プログラムされた用語を含んで、事前プログラムされた用語モデルの中において多数のワード及びフレーズを含み、変換された電気信号を前記事前プログラムされた用語に突き合わせて、命令を認識するものである、請求項１に記載のコンピュータ。
【請求項７】
前記電源手段が、前記コンピュータに対して電力を供給するものであり、前記電源手段による電力出力は、音声命令によって制御されるものである、請求項１に記載のコンピュータ。
【請求項８】
前記ユーザーが、音声命令によって、生成される熱と、プロセッサ及び前記ディスプレイ手段に対して供給される電力とを制御することができる手段を有する、請求項１に記載のコンピュータ。
【請求項９】
コンピュータ・ハウジングと、電源手段と、ディスプレイ手段と、記憶手段と、プロセッサ手段と、音声トランスデューサ手段及びコンバータ手段と、認識手段とを含む、手離し様式で起動される身体装着型モバイル・コンピュータであって、前記ハウジングは、ユーザーの身体に取り付けるための手段を含み、更に前記ディスプレイ手段を除く前記コンピュータのすべてのコンポーネントを内部において含み、前記プロセッサは、前記音声トランスデューサ手段及びコンバータ手段に対して連絡し、前記プロセッサは、音声命令を受け入れ、前記音声命令を電気信号に変換して、前記コンピュータを介する電力を低下させる手段を有し、前記音声トランスデューサは、前記変換された音声命令を前記プロセッサ及び前記コンピュータのその他のコンポーネントに対して送信するための手段を有し、前記ディスプレイ手段は、ヘッド・マウンテッド・ディスプレイ、フラットパネル・ディスプレイ、手首装着ディスプレイ、首掛けディスプレイ、ユーザーの身体に取り付けられる吊し紐によって支持されるディスプレイ、及びそれらの組み合わせによって構成されるグループの中から選択されるものである、手離し様式で起動される身体装着型モバイル・コンピュータ。
【請求項１０】
前記プロセッサ手段は、情報及びユーザーの命令を記憶されたプログラムに従って受信し、検索し、処理すべく、前記記憶手段に対して連絡するものである、請求項９に記載のコンピュータ。
【請求項１１】
前記ハウジングは、ユーザーによって手離し様式で支持されて携帯されるための取付け手段を有する、請求項９に記載のコンピュータ。
【請求項１２】
前記記憶手段は、電子的な技術マニュアル及び多数のワードから成る事前プログラムされた用語モデルを含み、前記プロセッサ手段に対して供給される電力を低下させるための事前プログラムされた命令をも含み、先行して入力された情報を記憶するための手段を有する、請求項９に記載のコンピュータ。
【請求項１３】
前記コンピュータ・ディスプレイ手段は、プロセッサ手段からの出力情報を受信して、ユーザーの命令によって実行される任意の電力削減量を表示すべく、前記プロセッサ手段に対して連絡するものである、請求項９に記載のコンピュータ。
【請求項１４】
前記認識手段は、前記プロセッサ手段に対する電力を段階的に低下させるための事前プログラムされた用語を含んで、事前プログラムされた用語モデルの中において多数のワード及びフレーズを含み、変換された電気信号を前記事前プログラムされた用語に突き合わせて、命令を認識するものである、請求項９に記載のコンピュータ。
【請求項１５】
前記電源手段が、前記コンピュータに対して電力を供給し、前記電源手段による電力出力は、音声命令によって制御されるようにした、請求項９に記載のコンピュータ。
【請求項１６】
前記ユーザーが、音声命令によって、生成される熱と、プロセッサ及び前記ディスプレイ手段に対して供給される電力とを制御することができる手段を有する、請求項９に記載のコンピュータ。
【請求項１７】
前記ディスプレイは、首掛けディスプレイである、請求項９に記載のコンピュータ。
【請求項１８】
前記ディスプレイは、フラットパネル・ディスプレイである、請求項９に記載のコンピュータ。
【請求項１９】
前記ディスプレイは、ユーザーの身体に取り付けられる吊し紐によって支持されるディスプレイである、請求項９に記載のコンピュータ。
【発明の詳細な説明】
【０００１】
【発明の属する技術分野】
本発明は、身体支持型のモバイル・コンピュータに関するものであり、より詳細には、身体装着型コンピュータの内部における温度を低下させるためのシステムに関するものである。
【０００２】
【従来の技術】
米国特許第５，３０５，２４４号明細書（ニューマンその他のＩ…  Ｎｅｗｍａｎ  ｅｔ  ａｌ  Ｉ）では、ユーザーによって完全に支持され、情報を手離し様式で検索して表示するようにした、新規な身体装着型コンピュータである音声起動式のコンピュータが開示されている。コンピュータ装置は、ユーザーからの音声命令を受信して、受信された音声命令を電気信号に変換し、変換された電気信号を認識して、認識された電気信号を処理すべくプロセッサに送信するようにして、プロセッサに対して連絡する音声認識モジュールを含むものであり、音声認識モジュールは、ユーザーによって支持される。コンピュータ装置は、プロセッサから情報を受信して、受信された情報をユーザーのために表示すべく、プロセッサに対して連絡するディスプレイをも更に含むものであり、ディスプレイは、ユーザーによって支持され、それにより、ユーザーは、音声命令のみを利用して、手離し様式で情報を表示すべく、コンピュータ装置を操作することが可能になるのである。
【０００３】
米国特許第第５，３０５，２４４号明細書で説明されたコンピュータ装置は、ユーザーによって支持されるべくユーザーに対してハウジングを取外し可能に取り付けるための取付け手段を有するハウジングを含む。ハウジングは、先行して入力された情報を記憶するための記憶手段と、記憶手段に対して連絡し、記憶されたプログラムに従って情報及びユーザーの命令を受信し、検索して、処理するプロセッサ手段とを更に含む。コンピュータ装置は、ユーザーからの音声命令を受信し、受信された音声命令を電気信号に変換し、変換された電気信号を認識して、認識された電気信号をプロセッサ手段に対して送信すべく、プロセッサ手段に対して連絡する音声トランスデューサ手段及びコンバータ手段をも更に含むものであり、音声トランスデューサ手段及びコンバータ手段もまた、ユーザーによって支持される。コンピュータ装置は、プロセッサ手段から情報を受信して、受信された情報をユーザーのために表示すべく、プロセッサ手段に対して連絡するディスプレイ手段をも更に含むものであり、ディスプレイ手段は、ユーザーによって支持され、それにより、ユーザーは、音声命令のみを利用して、手離し様式で情報を表示すべく、コンピュータ装置を操作することが可能になるのである。
【０００４】
１９９７年５月２２日付けで出願された米国出願第０８／８６１，５９８号の同時係属出願では、米国特許第５，３０５，２４４号明細書におけるものと同様である手離し様式のポータブル・コンピュータ・システム（ニューマンその他のＩＩ…  Ｎｅｗｍａｎ  ｅｔ  ａｌ．  ＩＩ）が説明されているが、ここでは、音声起動以外の様々な起動手段が開示されている。ニューマンその他のＩＩにおいて開示された発明は、少なくともその一部が、ユーザーによって完全に支持され、手離し様式で情報を検索してユーザーのために表示する、小型のポータブル・コンピュータ装置に関するものである。コンピュータ装置は、ユーザーによって支持されるべくユーザーに対してハウジングを取外し可能に取り付けるための取付け手段を有し得るか或いは有し得ないようにした、ハウジングを含む。代替的に、ハウジングは、ユーザーに対して取り付けられず、その他のコンポーネントからも離間した、遠隔的な場所に配置されることが可能である。ハウジングは、先行して入力された情報を記憶するための記憶手段と、記憶手段に対して連絡し、記憶されたプログラムに従って情報及びユーザーの命令を受信し、検索して、処理するプロセッサ手段とを更に含む。ＥＴＭ及びＩＥＴＭの大きなデータベースが自蔵式のモバイル・コンピュータ装置によってアクセスされることになるので、データベースを含む記憶手段に対して容易にインターフェースするための手段が必要とされる。コンピュータ装置のハウジングは、アクセス・ポートを含むものであり、それによって、データを含む様々な記憶手段が、インターフェースされ得ることになり、連絡が確立されるのである。記憶手段とコンピュータ装置の間におけるデータのアクセス及び転送は、この出願において説明される様々な手離し様式の起動手段によって完全に制御されて、達成され得ることになる。アクセス・ポートは、記憶手段の直接の電気的な取付けを許容するものであるが、その他の配線接続及び無線接続もまた使用される。コンピュータ装置は、ユーザーからの命令を受信し、受信された命令を電気信号に変換し、変換された電気信号を認識して、認識された電気信号をプロセッサ手段に対して送信すべく、プロセッサ手段に対して連絡する音声トランスデューサ手段及びコンバータ手段を備えるか或いは備えないようにして、眼球追跡起動手段、脳波起動手段、トランスデューサ手段及びコンバータ手段をも更に含むものである。トランスデューサ手段及びコンバータ手段は、ユーザーによって支持されるか或いは支持されないことも可能である。コンピュータ装置は、プロセッサ手段から情報を受信して、受信された情報をユーザーのために表示すべく、プロセッサ手段に対して連絡するディスプレイ手段をも更に含むものであり、ディスプレイ手段は、ユーザーによって支持され、それにより、ユーザーは、音声命令を備えるか或いは備えないで、脳波起動又は眼球追跡起動のみを利用して、手離し様式で情報を表示すべく、コンピュータ装置を操作することが可能になるのである。
【０００５】
前述のニューマンその他のＩにおいて使用される音声起動手段に加えて、本発明では、上述のこれらの２つのその他の起動手段、即ち、眼球追跡起動手段及び脳波起動手段（ＥＥＧ）が、考慮されることになった。本発明は、ニューマンその他のＩにおいて説明されたものと同じ概略的なシステムを使用しているのである。
【０００６】
米国出願０９／０９２，２６１号の第２の同時係属出願（トヨサト…  Ｔｏｙｏｓａｔｏ）では、ユーザーの身体に隣接して取り付けられる熱絶縁表面と、ハウジングの内部から熱を雰囲気に対して放散させる頂部及び側面の熱伝導表面とを有するコンピュータ・ハウジングを含む、身体装着型のモバイル・コンピュータが開示されている。これは、身体装着型のモバイル・コンピュータの場合に独特に生じる問題、即ち、ＣＰＵによって生成されハウジングにまで伝導することになる熱が装着者にとって大きな問題になり得るということを解決するためのものである。身体装着型コンピュータの場合に生じるそれらの問題は、デスクトップ又はラップトップ型のコンピュータのものとは全く異なっている。この熱問題を解決するための試みは、身体装着型コンピュータが各コンポーネント又は各ハウジングを高度に絶縁するに至ることになったが、これらの努力は、より大型でより重いコンピュータを結果として生じることになった。それは、より小型でより軽量の身体装着ユニットという所望の目的とは全く反対の状況である。トヨサト出願もまた、身体装着型コンピュータの内部における熱問題を軽減させる選択的な材料と共にヒート・シンクを使用するものである。米国特許出願第０８／８６１，５９８号及び第０９／０９２，２６１号の同時係属出願の開示内容は、本件開示の中に参照文献として組み込まれるものとする。コンピュータの内部における熱問題に対処するその他の参照文献は、第５，５５９，６７５号（フシークその他…  Ｈｓｉｅｋ  ｅｔ  ａｌ）、第５，２８７，２９２号（ケニーその他…  Ｋｅｎｎｙ  ｅｔ  ａｌ）、第５，４５２，４３４号（マクドナルド…  ＭａｃＤｏｎａｌｄ）及び第４，９８０，８３６号（カーターその他…  Ｃａｒｔｅｒ  ｅｔ  ａｌ）の各米国特許明細書である。これらの先行技術の特許のすべては、デスクトップ・コンピュータに対する電力及び熱をマウス又はキーボードのユーザーによって低下させるための方式を開示している。前述のように、デスクトップ・コンピュータにおける問題及びそれらの解決策は、身体装着型コンピュータにおける問題と同等のものではない。１つには、本文において議論される身体装着型コンピュータは、手離し様式であるが、デスクトップ又はラップトップの各コンピュータは、手の使用を必要とする。前述の先行技術の特許のいずれのものも、手離し様式のコンピュータが、如何にして、手を使用することなく熱及び電力を低下させるべくパワー・ダウンされることが可能であるのかということについては、教示していないのである。
【０００７】
米国特許第５，６０６，３４１号明細書（アギレラ…  Ａｇｕｉｌｅｒａ）では、ＣＰＵ冷却手段を有する、ラップトップ・コンピュータが開示されている。このラップトップ・コンピュータでは、ＣＰＵ生成熱は、ＬＣＤの背後に配設される放熱器状の要素に対して受動的に熱伝動されるものであり、ＬＣＤは、ＬＣＤを温めるためにその熱を使用することになる。ＣＰＵは、２相冷却剤を内包する液漏れ防止ハウジングによって取り囲まれる。ハウジングの中における出口ポートと流体連絡する第１の管は、加熱蒸発した冷却剤を放熱器の上における入力ポートに向かって搬送する。冷却剤は、放熱器状要素の中に形成された多数のコラムを通って流れ、当該プロセスにおいて伝熱し凝縮する。伝熱は、ＬＣＤに対して放熱され、ＬＣＤは、当該プロセスにおいて好適に暖められる。凝縮した冷却剤は、放熱器状要素の中における送出しポートから第２の管を介してハウジングの中における入口ポートに向かって案内される。圧力センサは、冷却剤の漏出しの場合にＣＰＵを停止させるために使用されることが可能である冷却剤圧力降下信号を提供するために含むことも可能である。
【０００８】
アギレラ特許では、熱を放散させる冷却剤は、ＬＣＤの後部側面に隣接して被着され配設される。その場合、ＣＰＵは、冷却剤を内包するチャンバによって取り囲まれ、それにより、ＣＰＵによって生成された熱は、導体によって冷却剤に向かって運ばれる。アギレラ特許は、放熱器形式のシステムを使用して、温度を運転可能なレベルに維持し、ＣＰＵによって生成された熱を制御するのである。当然ながら、放熱器の重量及び化学的な冷却剤の使用は、アギレラ特許のシステムを身体装着型コンピュータにおいて使用されるものとしては不都合にすることになる。
【０００９】
ラップトップ又はモバイルの環境において、電池の寿命は、ユーザーにとってより重要な特徴の１つである。電力管理は、様々な様式に従って実行されるが、最も一般的なものは、当該システムに対する公然とした（手動即ち物理的な）変更、又は密やかな（ＢＩＯＳ又はオペレーティング・システムのセッティングの修正による）変更、或いは両者の組合せによって実施される。ラップトップが、公然とした操作によって…ユーザーがラップトップの蓋即ちスクリーンを閉じるとき…パワー・ダウンされるという状況では、当該システムは、このことを、ユーザーが、当面、いかなる作業をも完了してしまっていて、何らかのその他の機能を実行させるべくラップトップを使用することにはならないであろうということを示すものと解釈する。これが発生すると、当該システムは、ユーザーの側における何らかのその他の介入が無ければ、ラップトップをパワー・ダウン状態即ち休止状態に置くことになる。コンピュータがこの状態にあるとき、ラップトップは、その電力を低下させ、或いは決定的には重要でないすべてのコンポーネントからそれを完全に排除することになるのである。これらのコンポーネントは、モニタ、フロッピ、ＣＤ−ＲＯＭ、ハード・ドライブなどを含む。簡便さを求めて、ラップトップ・コンピュータの製造業者は、ユーザーがコンピュータを直ちに休止モード即ち一時停止モードに置くことができるようにして作動させることが可能であるようにした、単純なボタンを実装することになった。休止モード即ち一時停止モードにあるコンピュータを「ウェイク・アップ」させ或いは再起動させるためにユーザーが為すべきことは、マウスを動かすか又はキーボード上における１つのキーを操作することだけである。電池の消耗を減少させ即ちラップトップを休止モード即ち一時停止モードに置くためのもう１つの方法は、そのオペレーティング・ソフトウェアを「プログラム」して、コンピュータの使用をモニタし、所定の条件が満たされるときにコンピュータを休止モード即ち一時停止モードに置くことである。これらの条件は、所定量の時間（ユーザーによって設定され得る）に達するコンピュータにおける活動無しの状態であり、所定の（プログラム可能な）持続時間の非活動状態は、そのハード・ディスクをパワー・ダウンさせ、所定の持続時間に渡るビデオ・ディスプレイの非活動状態は、そのバックライト及びビデオ・ディスプレイを消してしまうなどということになるのである。これらの状況は、そのオペレーティング・システムによって引き起こされるものであるが、ユーザーが何時いかなる状況下でその周辺機器をパワー・ダウンさせるのかということについてプログラムすることを許容する。ここでもまた、所定の周辺機器を再起動させるためにユーザーが為すべきことは、周辺機器によるオペレーションをコンピュータにリクエストすることだけである（例えば、ハード・ドライブにアクセスするアプリケーションを要求するタスクは、ハード・ドライブそれ自体を再起動させることになる）。
【００１０】
上述の状況のすべてにおいて、ユーザーは、当該システムを完全に機能的なものにするために、公然とした手動操作を提供するように要求される。これは、通常は、キーストロークを作動させるか或いはマウスを動かすという形態を採るものである。手離し様式の身体装着型コンピュータにおいて使用される電力制御システムを示唆する先行技術は、全く存在していないのである。
【００１１】
【発明が解決しようとする課題】
従って、本発明の１つの目的は、上述の不都合を免れるようにした、身体装着型コンピュータにおいて使用される実際的な熱及び電力の制御システムを提供することである。
【００１２】
本発明のもう１つの目的は、身体装着型コンピュータをパワー・ダウンさせるための手離し様式の方法を提供することである。
【００１３】
本発明の更なる目的は、延びた電源寿命と削減した熱生成とを有する身体装着型コンピュータを提供することである。
【００１４】
本発明の更なるもう１つの目的は、手離し様式の身体装着型コンピュータのＣＰＵによって生成される熱を削減するための方法を提供することである。
【００１５】
本発明の更に尚もう１つの目的は、身体装着型コンピュータの熱及び電力の発生を制御するための単純で実際的且つ効率的な方法を提供することである。
【００１６】
本発明の更なるもう１つの目的は、手離し様式の身体装着型コンピュータの内部における熱及び電力を制御するための音声手段を提供して、ユーザーの身体に触れる熱を削減することである。
【００１７】
【課題を解決するための手段】
本発明のこれらの目的及びその他の目的は、概略的に言って、身体装着型コンピュータの内部における電力及び熱を制御する、音声認識モジュールによって達成される。
【００１８】
コンピュータは、ユーザーからの音声命令を受信し、受信された音声命令を電気信号に変換し、認識された電気信号をシステム・ユニット内のプロセッサに送信すべく、システム・ユニットに対して連絡するようにした、音声トランスデューサ手段及びコンバータ手段をも更に含む。本件の実施例では、音声トランスデューサ手段及びコンバータ手段は、オペレータからの口頭の命令を受信するためのマイクロフォンを含む。本件の実施例では、ケーブルを経由してシステム・ユニットに対して電気的に接続されるマイクロフォンは、好ましくは、耳で支持されるマイクロフォンであるが、当該分野における熟練者は、任意の音声入力又はトランスデューサ装置もまた使用されることが可能であり、音声入力又はトランスデューサがユーザーの口又は咽喉に隣接するような所定のその他の場所においてユーザーによって支持され得るものであるということを認識するであろう。本発明において使用されるコンピュータ・システムは、米国特許第５，３０５，２４４号明細書及び米国特許出願第０８／８６１，５９８号において詳細に開示されるものであり、両者は、参照文献として本文の中に完全に組み込まれるものとする。
【００１９】
第５，３０５，２４４号及び第５，８４４，８２４号において説明され、本発明においても説明されたコンピュータ装置は、ユーザーによって支持されるべくユーザーに対してハウジングを取外し可能に取り付けるための取付け手段を有するコンピュータ・ハウジングを含む。ハウジングは、先行して入力された情報を記憶するための記憶手段と、記憶手段に対して連絡し、記憶されたプログラムに従って情報及びユーザーの命令を受信し、検索して、処理するプロセッサ手段とを更に含む。コンピュータ装置は、ユーザーからの音声命令を受信し、受信された音声命令を電気信号に変換し、変換された電気信号を認識して、認識された電気信号をプロセッサ手段に対して送信すべく、プロセッサ手段に対して連絡する音声トランスデューサ手段及びコンバータ手段をも更に含むものであり、音声トランスデューサ手段及びコンバータ手段もまた、ユーザーによって支持される。コンピュータ装置は、プロセッサ手段から情報を受信して、受信された情報をユーザーのために表示すべく、プロセッサ手段に対して連絡するためのディスプレイ手段をも更に含むものであり、ディスプレイ手段は、ユーザーによって支持され、それにより、ユーザーは、音声命令のみを利用して、手離し様式で情報を表示すべく、コンピュータ装置を操作することが可能になるのである。本発明のディスプレイ手段は、第５，３０５，２４４号及び第５，８４４，８２４号の各米国特許明細書において開示されたような任意の周知のディスプレイを含む。
【００２０】
本発明では、ヘッド・マウンテッド・ディスプレイ、フラットパネル・ディスプレイ、手首ディスプレイ、前述のハウジングの表面上におけるディスプレイ、胴体装着ディスプレイ、首掛けディスプレイ、襟装着ディスプレイ、肩支持型ディスプレイ又はその他、或いはそれらの組み合わせを含む、軽量のディスプレイが使用される。更に、ユーザーの身体に巻き付けた吊し紐に対して接続される任意のディスプレイが使用されることもまた可能である。各々のディスプレイは、プロセッサ手段に対して無線接続され或いはハード配線的に接続されることも可能である。
【００２１】
例えば、アプリケーション・プログラムは、調整された用語モデル全体の部分集合に対照して音声認識モジュールに口頭の発声を認識させるべく、独立した（又は従属した）音声認識モジュールと相互作用することも可能である。用語の部分集合は、例えば、ＣＰＵをパワー・ダウンさせるオペレーティング・システムの命令に対応するようにして、音声認識モジュールの中における各ワードを含むことも可能である。その熱／電力は、用語の部分集合の中における各キーワードによって制御されることが可能である。これに対比して、従属した音声認識モジュールは、アプリケーション・プログラムに対して統合され得るものではない。音声認識及び特には独立した音声認識のためのシステム並びに方法は、第５，０２５，４７１号、第４，９６９，１９３号及び第４，６７２，６６７号の各米国特許明細書において説明されるものであり、それらは、参照文献として本文の中に完全に組み込まれるものとする。
【００２２】
身体装着型コンピュータが機能的な状態でないとき、コンピュータは、その電池の限定的な電力を節約しておくために、パワー・ダウンされるべきである。コンピュータは、手離し様式のものであるので、パワー・ダウンさせるべく使用するためのマウス或いはキーボードは、全く存在しない。更に、いかなる既知の身体装着型コンピュータも、電池の電力を節約して、ユーザーの身体に伝わることになる熱を減少させるための何らかの実際的な手段を有するものではない。身体装着型コンピュータにおいては、Ａ．その電池によって提供される限定的な電力の故にエネルギーを節約すること、及び
Ｂ．コンピュータがユーザーの身体と常に接触することになるので、コンピュータによって生成される熱を減少させることは、極めて重要である。
【００２３】
コンピュータ・システムは、ＣＰＵ（中央処理装置）と、チップ・セット（システムを制御するためのＩＣ）と、音声処理ＩＣと、ビデオ出力制御ＩＣなどから構成される。ここでは、音声処理ＩＣは、デジタル様式で合成されて処理された音声データが、アナログ・フォーマットに変換され、変換されたデータ音声から、人間の耳によって聴き取られることが可能である音声を形成するように、処理する。更に、音声処理は、外部で生成されたアナログ音声をデジタル信号に変換し、それがＣＰＵにおいて処理され得る状態になるように、それを処理する。
【００２４】
チップ・セットは、ＣＰＵと、音声処理ＩＣ及びビデオ出力制御ＩＣのような機能的なＩＣとを調停するものであるが、その一方で、それは、消費される電力を減少させて、ＣＰＵにおける温度の上昇を制御するという観点から、ＣＰＵの演算速度をも制御する。
【００２５】
キーボード及びマウスのような外部入力装置からの入力が何も存在しないとき、消費される電力を減少させるために、ＣＰＵの演算速度は配分され、その消費電力は最小化される。一旦、何らかの外部入力装置からの入力があったならば、ＣＰＵの演算速度は、処理を迅速に実行すべく、高められることになるのである。
【００２６】
ＣＰＵ及びその周囲における温度が上昇すると、ＣＰＵにおける温度の上昇を制御するために、ＣＰＵの演算速度は、ＣＰＵからの熱の生成を制御すべく、下げられることになる。
【００２７】
通常、音声入力は、キーボード又はマウスのような外部入力装置として考慮されるものではないので、ＣＰＵの演算速度の制御に影響する。即ち、音声が外部から入力されてＣＰＵがそれを処理しようとするとき、ＣＰＵの演算速度は、非常に低いのである。従って、処理が十分に効率的に実行されないとき、ＣＰＵの演算速度は、高められ得ないことになる。
【００２８】
従って、音声入力のための通路に加えて、音声入力の存在を検出するための回路が設けられる。その場合には、その回路からの出力をチップ・セットにおいて処理し、処理されたデータによってＣＰＵの演算速度を制御するようにすることによって、ＣＰＵによって音声データを処理することが、円滑に実行されることになる。
【００２９】
先ず、アナログ音声入力が所定のレベル以上のものであるか否かに関して、コンパレータで決定が為される。ここでは、所定のレベルは、抵抗体のような回路の上における各コンポーネントによって設定される。決定の結果は、割込み信号としてチップ・セットに向かって運ばれる。その結果、ＣＰＵの演算速度は、割込み信号の中におけるトリガーとしての変化のポイントによって変更される。
【００３０】
音声データを処理することは、コンパレータからの出力が何も存在しないときには必要がないので、ＣＰＵの演算速度の制御は、外部入力装置及びＣＰＵにおける当該温度によって実行される。他方で、コンパレータからの出力が存在するときには、ＣＰＵの演算速度は、その他の原因に関わることなく、最大化される。更になお、ＣＰＵが多数のタスクを並列に処理している場合には、音声データの処理を最優先にすることも実行可能であることになる。
【００３１】
【発明の実施の形態】
図１は、本件実施例に従ったコンピュータの主要な構造的特徴に関する概略的なブロック・ダイアグラムである。コンピュータ１０２は、少なくとも１６ビットのデータ幅を好適に有するように成した、バス１０２を含む。本件実施例に拠れば、バス１０２は、システム・ユニット１０６の中に含まれる。コンピュータは、バス１０２に対して接続され、好適にはシステム・ユニットの中に含まれるものでもあるように成した、中央処理装置（ＣＰＵ）１０４のようなプロセッサ手段をも含む。好適には、ＣＰＵ１０４は、インテル（Ｉｎｔｅｌ）から入手され得る８０２８６又は８０３８６ＳＸのマイクロプロセッサである。当該分野における熟練者に拠れば、８０２８６又は８０３８６ＳＸのマイクロプロセッサは好適であるが、現在又は将来になって入手され得ることになる任意のその他の中央処理装置又はマイクロプロセッサが使用されることもまた可能であると認識されるであろう。
【００３２】
コンピュータは、例えば、１Ｍバイトから２０Ｍバイトのランダム・アクセス・メモリ（ＲＡＭ）を有するメモリ１０６をも含むものであるが、任意の容量のＲＡＭもまた適当である。これもまたバス１０２に対して接続されるものであり、好適にはシステム・ユニットの中に含まれるように成した、メモリ１０６は、コンピュータが運転している間に、アプリケーション・プログラム１０８を記憶する。アプリケーション・プログラム１０８は、オペレータの命令に従って、磁気記憶装置１１９（下で説明される）からメモリ１０６の中にロードされたものであることも可能である。
【００３３】
コンピュータは、ＣＰＵ１０４と、ＣＰＵ１０４に対して連絡するがバス１０２に対しては直接に接続されるものではない所定のその他の各コンポーネント（本文では周辺機器と呼ばれる）との間におけるすべてのデータ転送を制御するようにした、入出力インターフェース１１０をも含む。好適には、入出力インターフェース１１０は、ビデオ・インターフェースと、少なくとも２つのＲＳ−２３２コンパチブル・シリアル・ポートのための制御装置と、セントロニクスのコンパチブル・パラレル・ポートのための制御装置と、キーボード及びマウスの制御装置と、フロッピ・ディスク制御装置と、ハード・ドライブ・インターフェースとを含む。しかしながら、当該分野における熟練者に拠れば、入出力インターフェース１１０は、その他の種類の周辺機器と共に使用されるようにした、追加のものであり及び／又は異なったものである各インターフェース及び各制御装置を含むことも可能であると認識されるであろう。入出力インターフェース１１０は、バス１０２に対して接続されるものであり、好適にはシステム・ユニットの中に配置される。
【００３４】
再び図１を参照すると、コンピュータは、磁気記憶装置１１９のような記憶手段、インストルメント・パックのような計測手段、マイクロフォン及び音声認識モジュール１２２のような様々な周辺機器をも更に含むものであり、それらのすべては、入出力コネクタ１１８を経由して、システム・ユニットに対して（詳細には、更に、周辺機器とＣＰＵ１０４の間におけるデータ・トラフィックを制御する入出力インターフェース１１０に対しても）接続される。音声認識モジュール１２２は、パワー・ダウンさせる音声命令を認識するための手段を含むことになる。  コンポーネント１１４は、ディスプレー１１６と１１７を駆動するグラフィックチップである。これらのディスプレーは、プロセッサすなわちチップ１１４からの情報を表示する。さらに、そのシステムにおけ各符号によって示されるコンポーネントは、以下のとおりである。１１２は内部ポインティングデバイスを、１２０は貯蔵情報のためのデータベースを、１２１は非揮発性の貯蔵デバイスを、１２３はマイクロフォンを、１２４−１３２は、テスト装置のインターフェースを、１３４は、内部バッテリ１３９と外部バッテリ１４０とのためのチャージャを、１３６はコンピュータシステムを作動するためにパワーを所定電圧に変換するためのパワーコンバータを、１４２はセラー電話、ラヂオ等との通信のためのパケットスイッチを、１４４は中継箇所からの信号を受けるたの通信手段１４２用アンテナをそれぞれ示す。
【００３５】
音声認識モジュール１２２は、好適にはシステム・ユニットの中に含まれるものであり、マイクロフォン（好適にはシステム・ユニットの外部に配置されるイヤ・マイクロフォンである）に対して接続される。代替的に、音声認識モジュール１２２は、システム・ユニットの外部に配置されることも可能であり、例えば、単独ユニットとしてマイクロフォンに対して組み込まれることが可能である。代替的に、音声認識モジュール１２２のアナログ・デジタル・コンバータ・コンポーネントは、システム・ユニットの外部に配置されるが、音声認識モジュール１２２の残りの各コンポーネントは、システム・ユニットの内部に配置され、外部のアナログ・デジタル・コンバータは、好適にはシリアル通信ストリームを経由してシステム・ユニットに対して連絡することになる。マイクロフォンは、オペレータからの音声入力（口頭発声とも呼ばれる）を受信し、音声入力を電気信号に変換し、電気信号をデジタル化する。音声認識モジュール１２２は、口頭発声（デジタル化された電気信号の形態にある）を認識して、認識された口頭発声をアプリケーション・プログラム１０８に従って処理すべくＣＰＵ１０４に対して転送する。従って、パワー・ダウンさせる音声命令は、所望に応じて、電力及び熱を削減することになる。従って、従来的なキーボード・ドライバが、従来的なキーボード上においてタイプ操作するオペレータから結果として生じる電気信号を文字及びワードとして解釈するのと全く同様に、音声認識モジュール１２２は、マイクロフォンの近くで又はその中に向かって話すオペレータから結果として生じるデジタル化された電気信号を文字及びワードとして解釈（即ち認識）するのである。結果として、キーボード及びポインティング・デバイスのような従来的な入力装置と同様に、マイクロフォンと組み合わされる音声認識モジュール１２２は、オペレータがコンピュータと相互作用して、その演算を制御するように成した手段を提供することになるのである。
【００３６】
好適には、音声認識モジュール１２２は、周知の従属した音声認識アルゴリズムに従って機能するものであり、当該分野では周知である形式のハードウェアの中において実現される。好適な実施例に拠れば、音声認識モジュール５２２は、カリフォルニア州、アービングのボイス・コネクション社（Ｖｏｉｃｅ  Ｃｏｎｎｅｃｔｉｏｎ  ｏｆ  Ｉｒｖｉｎｇ，  Ｃａｌｉｆｏｒｎｉａ）から入手され得るものである、従属した音声認識回路のカードである。しかしながら、当該分野における熟練者は、システム・ユニット１０６のサイズと互換性があるサイズを有するように成した、任意の従属した音声認識回路のカードもまた使用されることが可能であると認識するであろう。
【００３７】
代替的には、音声認識モジュール１２２は、周知の独立した音声認識アルゴリズムに従って機能するものであり、独立した音声認識アルゴリズムは、従属した音声認識アルゴリズムに対して改良を提示することになる。詳細には、独立した音声認識モジュールは、多数の話し手の音声を認識することが可能であり、「グッド・リスナー（ｇｏｏｄ  ｌｉｓｔｅｎｅｒ）」即ち調整した用語モデルのリアルタイム修正のための学習機能を含むのである。これに対比して、従属した音声認識モジュールは、単独の話し手の音声だけを認識することが可能なものである。
【００３８】
本発明の根底にある原理を説明すべく、本発明の好適な実施例及び最も好適な実施例が、本文において説明され、添付図面において示されてきたが、本発明の精神及び範囲から離れることなく、数多くの修正物及び派生物が形成され得るものであると理解されるべきである。
【図面の簡単な説明】
【図１】本件実施例に従ったコンピュータの主要な構造的特徴に関する概略的なブロック・ダイアグラムである。
【符号の説明】
１０２  バス、１０４  ＣＰＵ、１０６  メモリ、１０８  アプリケーション・プログラム、１１０  入出力インターフェース、１１４  ディスプレイ・スクリーン・ドライバ・モジュール、１１６  モニタ、１１８  入出力コネクタ、１１９  磁気記憶装置、１２０  データベース、１２２  音声認識モジュール、１２４  マルチメータ、１２６  カウンタ／タイマ、１２８  ＩＥＥＥ−４８８、１３０  ＩＥＥＥ−１５５３、１３２  ＩＥＥＥ−１７０８、１３４  充電器、１３６  周波数変換装置、１３９  内部電池、１４０  外部電池、１４２  パケット・スイッチング・コンポーネント、１４４  アンテナ
【図１】
0003594885.tif 000002